(57)【要約】【課題】飲料のために広く一般に使用されている容器（１１２）に適用することができ、安価に製作することができ、そして更に過剰な力を必要とすることなく比較的容易に補助物質を容器に収容されている内容物に混入することができる、補助物質を収容した補助容器（１２）を含む容器蓋（２）を提供する。【解決手段】容器の口頸部（１１４）に装着される蓋本体（４）と、容器に装着され蓋本体を覆う外蓋（８）と、外蓋内に装着された切断部材（１０、２１０）と、容器内に充填すべき補助物質を収容し且つ外蓋内に装着された補助容器とを具備する。切断部材は蓋本体の天面壁（１４）と補助部材の下面との間に位置せしめられており、外蓋の垂下壁（６６）の内周面に係止せしめられた周縁部（９０、２９０）と破断可能な橋絡部（９８，２９８）を介して周縁部に接続された切断主部（９２，２９２）とを含む。【選択図】          図１
2005022716.tif 000002
【特許請求の範囲】
【請求項１】
容器の口頸部に装着される蓋本体と、該容器に装着され該蓋本体を覆う外蓋と、該外蓋内に装着された切断部材と、容器内に充填すべき補助物質を収容し且つ該外蓋内に装着された補助容器とを具備し、
該蓋本体は天面壁と該天面壁の周縁から垂下するスカート壁とを含み、該天面壁には破断可能ラインが形成されており、
該外蓋は上面壁と該上面壁の周縁から垂下する筒状垂下壁とを含み、該上面壁は該蓋本体の該天面壁から上方に離隔して位置し、該垂下壁は該蓋本体の該スカート壁の下端を越えて下方に垂下し、該垂下壁には周方向に延びる周方向破断可能ラインが形成されており、
該補助容器は該蓋本体の該天面壁から上方に離隔せしめて該外蓋内の上部に装着されており、該補助容器の下面の少なくとも一部は破断可能シール部材によって閉じられており、
該切断部材は該蓋本体の該天面壁と該補助部材の該下面との間に位置せしめられており、該外蓋の該垂下壁の内周面に係止せしめられた周縁部と破断可能な橋絡部を介して該周縁部に接続された切断主部とを含み、該切断主部には該蓋本体の該天面壁に対向して位置する第一の切断手段と該補助容器の該下面に対向して位置する第二の切断手段とが形成されており、
該外蓋の該垂下壁に形成されている該周方向破断可能ラインを破断せしめて該垂下壁の該周方向破断可能ラインよりも下方の部分を除去すると、該蓋本体に対して該外蓋を下降せしめることが許容され、
該蓋本体に対して該外蓋を下降せしめると、該第一の切断手段が該蓋本体の該天面壁に形成されている該破断可能ラインに作用して該破断可能ラインを破断せしめ、
該蓋本体に対して該外蓋を更に下降せしめると、該蓋本体に対する該切断部材の下降が阻止され、該外蓋の引き続く下降に応じて該切断部材の該橋絡部が切断されて、該切断部材の該切断主部が該周縁部から分離され、該外蓋の更なる下降応じて該第二の切断手段が該補助容器の該破断可能シール部材に作用して該破断可能シール部材を破断せしめる、
ことを特徴とする容器蓋。
【請求項２】
該蓋本体には付加部材が装着されており、該付加部材は該蓋本体の該天面壁の上面周縁部を覆う環状壁と該環状壁の外周縁から垂下して該蓋本体の該スカート壁の外周面の少なくとも上部を覆う筒状壁とを有し、該切断部材の該切断主部が該付加部材の該環状壁の上面に当接することによって該蓋本体に対する該切断部材の下降が阻止される、請求項１記載の容器蓋。
【請求項３】
該蓋本体は該スカート壁の内周面に形成されている雌螺条を容器の口頸部に形成されている雄螺条に螺合せしめて容器の口頸部に装着されており、該蓋本体と該付加部材とは相対的に回転することが阻止されていると共に、該付加部材と該外蓋とも相対的に回転することが阻止されている、請求項２記載の容器蓋。
【請求項４】
該外蓋の該垂下壁の内周面には上下方向に間隔をおいて下側環状突条と上側環状突条とが形成されており、該付加部材の外周面には係止突起が形成されており、該下側環状突条は該係止突起よりも下方に位置し該上側環状突条は該係止突起よりも上方に位置し、該蓋本体に対して該外蓋を下降せしめると該上側環状突条が該係止突起を弾性的に乗り越えて該係止突起よりも下方に位置せしめられる、請求項３記載の容器蓋。
【請求項５】
該外蓋の該垂下壁の下端が容器の肩部外面に当接することによって、該外蓋の該垂下壁に形成されている該周方向破断可能ラインを破断せしめて該垂下壁の該周方向破断可能ラインよりも下方の部分を除去する前に該蓋本体に対して該外蓋が下降することが阻止されている、請求項１から４までのいずれかに記載の容器蓋。
【請求項６】
該切断部材の該切断主部は、外周縁が該橋絡部を介して該周縁部に接続された環状板部、該環状板部の内周縁から下方に突出する円筒状部、及び該環状板部の上面から上方に突出する弧状部を有し、該円筒状部が該第一の切断手段を構成し、該弧状部が該第二の切断手段を構成している、請求項１から５までのいずれかに記載の容器蓋。
【発明の詳細な説明】
【０００１】
【発明の属する技術分野】
本発明は、容器内に充填すべき補助物質を収容した補助容器を含み、容器内に収容されている内容物を消費する際には補助容器内に収容されている補助物質を容器内に充填して容器内の内容物に混入することができる形態の容器蓋に関する。
【０００２】
【従来の技術】
容器内に収容された内容物、例えばコーヒ、とは別個に容器蓋に補助物質、例えばミルク、を収容しておき、容器の内容物を消費する際に容器蓋に収容されている補助物質を混入するようになせば、容器の内容物に予め補助物質を混入しておく場合と比較して、優れた香り、風味等を得ることができる。
【０００３】
下記特許文献１乃至３には、主たる内容物と補助物質とを別個に収容しておいて、消費に際して主たる内容物に補助物質を混入することができる形態の、容器と蓋との組み合わせが開示されている。
【０００４】
【特許文献１】
実用新案登録第２５１８３２５号公報
【特許文献２】
実公平３−２２１３１号公報
【特許文献３】
実公昭５７−４３７８５号公報
【０００５】
【発明が解決しようとする課題】
然るに、上記特許文献１乃至３に開示されている組み合わせには、特に容器に収容されている内容物がコーヒ、紅茶、日本茶等の飲料である場合に、次のとおりの問題がある。第一に、容器自体を独特な形態にせしめることが必要であり、飲料のために広く一般に使用されている、ポリエチレンテレフタレートの如き合成樹脂或いはガラスから形成された容器を利用することができない。第二に、容器の構成が相当複雑であり、製作コストが高価になる。第三に、主たる内容物に補助物質を混入するために必要な操作が必ずしも容易ではなく、過剰な力を必要とすることが少なくない。
【０００６】
本発明は上記事実に鑑みてなされたものであり、その主たる技術的課題は、飲料のために広く一般に使用されている容器に適用することができ、安価に製作することができ、そして更に過剰な力を必要とすることなく比較的容易に補助物質を容器に収容されている内容物に混入することができる、補助物質を収容した補助容器を含む新規且つ改良された容器蓋を提供することである。
【０００７】
【課題を解決するための手段】
本発明によれば、上記主たる技術的課題を達成する容器蓋として、  容器の口頸部に装着される蓋本体と、該容器に装着され該蓋本体を覆う外蓋と、該外蓋内に装着された切断部材と、容器内に充填すべき補助物質を収容し且つ該外蓋内に装着された補助容器とを具備し、
該蓋本体は天面壁と該天面壁の周縁から垂下するスカート壁とを含み、該天面壁には破断可能ラインが形成されており、
該外蓋は上面壁と該上面壁の周縁から垂下する筒状垂下壁とを含み、該上面壁は該蓋本体の該天面壁から上方に離隔して位置し、該垂下壁は該蓋本体の該スカート壁の下端を越えて下方に垂下し、該垂下壁には周方向に延びる周方向破断可能ラインが形成されており、
該補助容器は該蓋本体の該天面壁から上方に離隔せしめて該外蓋内の上部に装着されており、該補助容器の下面の少なくとも一部は破断可能シール部材によって閉じられており、
該切断部材は該蓋本体の該天面壁と該補助部材の該下面との間に位置せしめられており、該外蓋の該垂下壁の内周面に係止せしめられた周縁部と破断可能な橋絡部を介して該周縁部に接続された切断主部とを含み、該切断主部には該蓋本体の該天面壁に対向して位置する第一の切断手段と該補助容器の該下面に対向して位置する第二の切断手段とが形成されており、
該外蓋の該垂下壁に形成されている該周方向破断可能ラインを破断せしめて該垂下壁の該周方向破断可能ラインよりも下方の部分を除去すると、該蓋本体に対して該外蓋を下降せしめることが許容され、
該蓋本体に対して該外蓋を下降せしめると、該第一の切断手段が該蓋本体の該天面壁に形成されている該破断可能ラインに作用して該破断可能ラインを破断せしめ、
該蓋本体に対して該外蓋を更に下降せしめると、該蓋本体に対する該切断部材の下降が阻止され、該外蓋の引き続く下降に応じて該切断部材の該橋絡部が切断されて、該切断部材の該切断主部が該周縁部から分離され、該外蓋の更なる下降応じて該第二の切断手段が該補助容器の該破断可能シール部材に作用して該破断可能シール部材を破断せしめる、
ことを特徴とする容器蓋が提供される。
【０００８】
好ましくは、該蓋本体には付加部材が装着されており、該付加部材は該蓋本体の該天面壁の上面周縁部を覆う環状壁と該環状壁の外周縁から垂下して該蓋本体の該スカート壁の外周面の少なくとも上部を覆う筒状壁とを有し、該切断部材の該切断主部が該付加部材の該環状壁の上面に当接することによって該蓋本体に対する該切断部材の下降が阻止される。該蓋本体は該スカート壁の内周面に形成されている雌螺条を容器の口頸部に形成されている雄螺条に螺合せしめて容器の口頸部に装着されており、該蓋本体と該付加部材とは相対的に回転することが阻止されていると共に、該付加部材と該外蓋とも相対的に回転することが阻止されている。該外蓋の該垂下壁の内周面には上下方向に間隔をおいて下側環状突条と上側環状突条とが形成されており、該付加部材の外周面には係止突起が形成されており、該下側環状突条は該係止突起よりも下方に位置し該上側環状突条は該係止突起よりも上方に位置し、該蓋本体に対して該外蓋を下降せしめると該上側環状突条が該係止突起を弾性的に乗り越えて該係止突起よりも下方に位置せしめられるのが好適である。該外蓋の該垂下壁の下端が容器の肩部外面に当接することによって、該外蓋の該垂下壁に形成されている該周方向破断可能ラインを破断せしめて該垂下壁の該周方向破断可能ラインよりも下方の部分を除去する前に該蓋本体に対して該外蓋が下降することが阻止されているのが好都合である。好ましくは、該切断部材の該切断主部は、外周縁が該橋絡部を介して該周縁部に接続された環状板部、該環状板部の内周縁から下方に突出する円筒状部、及び該環状板部の上面から上方に突出する弧状部を有し、該円筒状部が該第一の切断手段を構成し、該弧状部が該第二の切断手段を構成している。
【０００９】
【発明の実施の形態】
以下、本発明に従って構成された容器蓋の好適実施形態を図示している添付図面を参照して、更に詳細に説明する。
【００１０】
図１を参照して説明すると、本発明に従って構成された全体を番号２で示す容器蓋は、蓋本体４、付加部材６、外蓋８、切断部材１０及び補助容器１２から構成されている。
【００１１】
図１と共に図２を参照して説明を続けると、ポリエチレン或いはポリプロピレンの如き適宜の合成樹脂から形成することができる蓋本体４は、円形天面壁１４とこの天面壁１４の外周縁から垂下する略円筒形状のスカート壁１６とを有する。スカート壁１６の外周面には下方に向かって半径方向外方に傾斜する円錐台形状部１８が形成されている。そして、この円錐台形状部１８の上方においてスカート壁１６の外周面には軸線方向に延びる多数の細突条２０が形成されている。円錐台形状部１８の下方には周方向破断可能ライン２２が形成されており、スカート壁１６は周方向破断可能ライン２２よりも上方の主部２４と周方向破断可能ライン２２よりも下方のタンパーエビデント裾部２６とに区画されている。周方向破断可能ライン２２は周方向に間隔をおいて配設された複数個の橋絡部２８から構成されており、タンパーエビデント裾部２６は複数個の橋絡部２８を介してスカート壁１６の主部２４に接続されている。スカート壁１６の主部２４の内周面には雌螺条３０が形成されている。タンパーエビデント裾部２６の内周面には係止手段３２が形成されている。図示の実施形態における係止手段３２は周方向に間隔をおいて配設され半径方向内方に向かって上方に傾斜して延びる複数個の係止片３４から構成されている。天面壁１４の内面における外周部には内側筒状シール片３６及び外側筒状シール片３８が形成されている。内側筒状シール片３６は天面壁１４の内面から下方に向かって幾分半径方向外方に傾斜し、次いで下方に向かって幾分半径方向内方に傾斜して延出している。外側筒状シール片３８は内側筒状シール片３６から半径方向外方に所定距離離間せしめて配置されており、天面壁１４の内面から略鉛直に下方に延出している。
【００１２】
蓋本体４における天面壁１４の中央部には沈降部４０が形成されている。この沈降部４０は側壁部４２及び底壁部４４によって規定されており、側壁部４２は円筒形状の上端部と逆円錐台形状の主部を有し、底壁部４４は水平に延在せしめられている。側壁部４２の上端部には環状突条４６が形成されている。底壁部４４には円形破断可能ライン４８が形成されている。円形破断可能ライン４８は厚さを低減せしめることによって形成されるスコアから構成することができる。
【００１３】
図１と共に図３及び図４を参照して説明すると、ポリエチレン或いはポリプロピレンの如き適宜の合成樹脂から形成することができる付加部材６は、環状壁５０、環状壁５０の外周縁から垂下する筒状壁５２、及び環状壁５０の内周縁から下方に突出する突出壁５４を含んでいる。環状壁５０は円形外周縁と円形内周縁を有する円環形状であり、筒状壁５２及び突出壁５４は円筒形状であるのが好都合である。筒状壁５２の内周面には、上記蓋本体４のスカート壁１６の外周面に形成されている多数の細突条２０に対応せしめて、多数の細溝５６が形成されている。筒状壁５２の外周面には周方向に間隔をおいて半径方向に突出する複数個の突出片５８が配設されている。突出片５８の各々の突出縁は、その下端部を除いて実質上鉛直に延び、その下端部においては下方に向かって半径方向外方に傾斜して延び次いで実質上鉛直に延びており、突出片５８の各々の下端部には係止突起６０が規定されている。突出壁５４の外周面下端部には環状突条６２が形成されている。
【００１４】
図１と共に図５を参照して説明を続けると、ポリエチレン或いはポリプロピレンの如き適宜の合成樹脂から形成することができる外蓋８は、円形上面壁６４とこの上面壁６４の周縁から垂下する筒状垂下壁６６とを含んでいる。垂下壁６６の上部には実質上水平に延在する環状肩部６８が形成されており、かかる肩部６８より上方に存在する垂下壁上部７０は下方に向かって若干半径方向外方に傾斜する円錐台筒形状であり、肩部６８より下方に存在する垂下壁下部７２も下方に向かって若干半径方向外方に傾斜する円錐台筒形状である。垂下壁下部７２の内周面上端部には環状突条７４が形成されている。更に、垂下壁下部７２の内周面には、その軸線方向中間部に軸線方向に間隔をおいて上側環状突条７６及び下側環状突条７８が形成されている。そしてまた、垂下壁下部７２の内周面下端部にも環状突条８０が形成されている。垂下壁下部７２には、更に、その下部に周方向破断可能ライン８２が形成されている。この周方向破断可能ライン８２は肉厚を低減せしめることによって形成されるスコアから構成することができる。垂下壁下部７２の外周面下部には接続部８４を介して把持片８６が接続されている。垂下壁下部７２の内周面における、上記環状突条７４の直ぐ下方から周方向破断可能ライン８２よりも幾部上方までの領域には、周方向に間隔をおいて半径方向内方に突出する複数個の係止片８８が形成されている。
【００１５】
図１と共に図６及び図７を参照して説明を続けると、ポリエチレン或いはポリプロピレンの如き適宜の合成樹脂から形成することができる切断部材１０は、周縁部９０と切断主部９２とを含んでいる。周縁部９０は短円筒形状であり、その外周面には環状突条９４が形成されている。切断主部９２は水平に延在する円環形状である環状板部９６を有する。切断主部９２の環状板部９６の外周縁は、周方向に間隔をおいて配設された複数個の破断可能な橋絡部９８を介して周縁部９０の内周面に接続されている。環状板部９６にはその内周縁から下方に突出する円筒部１００が付設されている。円筒部１００の下端は図６において左に向かって幾分下方に傾斜せしめられており、そしてまた円筒部１００の下端部は下方に向かって厚さが漸次低減せしめられていて下端は鋭いエッジにせしめられている。環状板部９６の上面には上方に突出する弧状部１０２が形成されている。弧状部１０２の基部は円形状であるがその主部は略２７０度の角度範囲に渡って延びる円弧形状である。弧状部１０２は上方に向かって厚さが漸次低減せしめられていて上端は鋭いエッジにせしめられている。後の説明から明確に理解されるとおり、円筒部１００は第一の切断手段を構成し、弧状部１０２は第二の切断手段を構成する。
【００１６】
図１を参照して説明すると、補助容器１２は本体１０４と破断可能シール部材１０６とから構成されている。適宜の合成樹脂から形成することができる本体１０４は、図１において下面が開口された倒立カップ形状の主部１０８とこの主部１０８の下面に配設されている環状フランジ１１０とを有する。合成樹脂フィルム及び／又は金属箔から形成することができる破断可能シール部材１０６は、本体１０４内にミルクの如き液状補助物質を充填した後に環状フランジ１１０上に貼着され、本体１０４の開口を閉じる。
【００１７】
図１には容器蓋２が適用される容器の上端部も図示されている。ガラス或いはポリエチレンテレフタレートの如き適宜の合成樹脂から形成することができる容器１１２は、その上端部に略円筒形状の口頸部１１４を有する。上面が開放された口頸部１１４の外周面には上方から下方に向けて順次に雄螺条１１６、係止あご部１１８及び保持リング１２０が形成されている。更に、係止リング１２０の下方には略円錐台筒形状の膨出部１２２が形成されており、その下方には環状溝部１２４が形成されている。膨出部１２２の下方には本体部が存在し、この本体部の上端は肩部１２６を規定している。
【００１８】
容器１１２内に内容物を充填した後に口頸部１１４を密封する際には、最初に容器蓋２の蓋本体４のみを口頸部１１４に装着する。かかる装着は、口頸部１１４に蓋本体４を被嵌して閉方向、即ち図１において上方から見て時計方向、に回転せしめることによって遂行される。蓋本体４の雌螺条３０が口頸部１１４の雄螺条１１６に螺合せしめられ、蓋本体４は回転と共に下降せしめられる。タンパーエビデント裾部２６に形成されている係止手段３２は口頸部１１４の係止あご部１１８を弾性的に乗り越えて係止あご部１１８に係止せしめられる。蓋本体４の天面壁１４の内面に形成されている内側筒状シール片３６は口頸部１１４内に進入して口頸部１１４の内周面に密接せしめられ、外側筒状シール片３８は口頸部１１４の外周面に密接せしめられ、かくして口頸部１１４が密封される。容器１１２の口頸部１１４に対する蓋本体４の上述したとおりの装着操作は、容器１１２の口頸部１１４に通常の合成樹脂製容器蓋を装着するための既存の装着システムをそのまま利用することができる。また、蓋本体４自体は通常の合成樹脂製容器蓋に近似した比較的簡単な形状である故に、特に不都合を発生せしめることなく所謂アセプティク充填の場合には、装着に先立って殺菌液で殺菌し、次いで洗浄することができる。
【００１９】
次に、口頸部１１４に装着された蓋本体４に付加部材６を装着する。付加部材６の装着は、蓋本体４に付加部材６を被嵌し下方に強制することによって遂行される。この際には、図１から明確に理解されるとおり、蓋本体４におけるスカート壁１６の外周面に形成されている細突条２０が付加部材６における筒状壁５２の内周面に形成されている細溝５６内に受け入れられ、これによって蓋本体４に対する付加部材６の相対的回転が阻止される。また、付加部材６における突出壁５４の外周面に形成されている環状突条６２が蓋本体４の沈降部４０における側壁部４２に形成されている環状突条４６を乗り越えてこれに係合せしめられ、かくして蓋本体４に対して付加部材６が上昇することが阻止される。図１から明確に理解される如く、付加部材６の環状壁５０は蓋本体４の天面壁１４の上面周縁部を覆い、付加部材６の筒状壁５２は蓋本体４のスカート壁１６の上半部を覆う。
【００２０】
補助容器１２及び切断部材１０は、外蓋８を口頸部１１４に装着するのに先立って外蓋８内に装着される。図１に明確に図示する如く、補助容器１２はその大部分が外蓋８の上面壁６４と垂下壁上部７０とによって規定されている空間内に収容され、その環状フランジ１１０が環状肩部６８の下面に当接乃至近接せしめられる。切断部材１０は外蓋８における垂下壁下部７２の上端まで進入せしめられて、その周縁部９０の外周面に形成されている環状突条９４が垂下壁下部７２の内周面上端部に形成されている環状突条７４を弾性的に乗り越えてこれに係合せしめられ、かくして図１に図示する位置に保持される。補助部材１２は切断部材１０によって図１に図示する位置に保持される。切断部材１０の弧状１０２即ち第二の切断手段は補助部材１２の破断可能シール部材１０６に対向して位置する。
【００２１】
補助容器１２及び切断部材１０が装着された外蓋８は、上方から図１に図示する位置まで下降せしめることによって容器１１２に装着されて蓋本体４及びこれに装着された付加部材６を覆う。図１に明確に図示する如く、垂下壁下部７２の内周面下端部に形成されている環状突条８０は容器１１２の膨出部１２２を弾性的に乗り越えて環状溝部１２４に係合せしめられ、これによって外蓋８が容器１１２に対して上昇することが阻止される。また、垂下壁下部７２の下端は容器１１２の肩部１２６に当接せしめられ、かくして容器１１２に対して外蓋８が更に下降することが阻止される。垂下壁下部７２の内周面に形成されている複数個の係止片８８の各々は付加部材６の筒状壁５２の外周面に形成されている複数個の突出片５８間に位置せしめられ、これによって付加部材６に対して外蓋８が相対的に回転することが阻止される。外蓋８が図１に図示する位置まで下降せしめられる際には、垂下壁下部７２の内周面に形成されている下側環状突条７８は付加部材６の突出片５８の下端部に形成されている係止突起６０を弾性的に乗り越えてその下方に位置する。外蓋８が所要位置に装着されると、切断部材１０の円筒部１００即ち第一の切断手段は蓋本体４の天面壁１４、更に詳しくはその中央部に形成されている沈降部４０、に対向して位置する。
【００２２】
図１を参照して説明を続けると、容器１１２内に収容されている内容物を消費する際には、外蓋８の垂下壁６６に付設されている把持片８６を把持して引っ張り、周方向破断可能ライン８２を破断せしめて、周方向破断可能ライン８２よりも下方の部分を除去する。しかる後に、外蓋８を下方に押圧して図８に図示する位置まで下降せしめる。かかる下降の際には、最初に、外蓋８に付随して下降せしめられる切断部材１０の円筒部１００即ち第一の切断手段が、蓋本体４の天面壁１４に形成されている沈降部４０内に進入して底壁部４４に形成されている破断可能ライン４８に作用して、その一部（図８において右端部に位置する部分）を残して破断せしめ、かくして底壁部４４に流入口を生成する。そして、切断部材１０が更に下降せしめられると、切断部材１０の環状板部９６の下面が付加部材６の環状壁５０の上面に当接することによって切断部材１０における切断主部９２の更なる下降が阻止される。従って、外蓋８が更に下降せしめられると、切断部材１０における周縁部９０と切断主部９２との間に存在する橋絡部９８に応力が生成されて橋絡部９８が破断され、切断部材１０における切断主部９２が切断部材１０における周縁部９０及び外蓋８に対して相対的に上昇されることになり、図８に図示する如く、切断主部９２に配設されている弧状部１０２即ち第二の切断手段が補助容器１２の破断可能シール部材１０６に作用して，破断可能シール部材１０６を弧状に破断せしめる。かくすると、補助容器１２内に収容されていた液状補助物質が破断可能シール部材１０６の破断部分を通って流下し、切断部材１０の円筒部１００内を通り、そして更に蓋本体４の天面壁１４の沈降部４０における底壁部４４に形成された上記流入口を通って容器１１２内に流入せしめられ、容器１１２内に収容されている物質に混入される。所望ならば、補助容器１２から流下せしめられる液状補助物質が切断部材１０の環状板部９６の上面に滞留するのを確実に回避するために、環状板部９６の少なくとも弧状部１０２よりも内側の部分を半径方向内方に向かって下方に傾斜する逆円錐台筒形状にせしめることもできる。外蓋８が図８に図示する位置まで下降せしめられると、外蓋８の垂下壁下部７２の内周面に形成されている上側環状突条７６は、付加部材６に配設されている突出片５８の下端部に形成されている係止突起６０を弾性的に乗り越えてその下方に位置する。
【００２３】
上述したとおりにして補助容器１２内に収容されていた液状補助物質が容器１１２内の物質に混入された後においては、外蓋８を把持して開方向、即ち図８において上方から見て反時計方向、に回転せしめる。外蓋８を開方向に回転せしめると、付加部材６及び蓋本体４も開方向に回転せしめられる。蓋本体４が開方向に回転せしめられると、蓋本体４のタンパーエビデント裾部２６はその内周面に形成されている係止手段３２が容器１１２の口頸部１１４に形成されている係止あご部１１８に係止せしめられている故に上昇が阻止されるが、蓋本体４のその他の部分は口頸部１１４の雄螺条１１６と蓋本体４の雌螺条３０の螺合が解除されるのに従って上昇せしめられる。従って、スカート壁１６に形成されている周方向破断可能ライン２２が破断され、タンパーエビデント裾部２６がスカート壁１６の主部２４から分離される。しかる後においては、図９に図示する如く、蓋本体４のタンパーエビデント裾部２６を残して容器蓋２は開方向への回転と共に上昇せしめられて口頸部１１４から離脱せしめられ、口頸部１１４が開封される。蓋本体４に対する付加部材６の軸線方向移動は環状突条４６と環状突条６２との係合によって阻止され、付加部材６に対する外蓋８の軸線方向移動は係止突起６０と上側環状突条７６との係合によって阻止される。
【００２４】
図１０及び図１１は切断部材の変形例を図示している。図１０及び図１１に図示する切断部材２１０も周縁部２９０と複数個の橋絡部２９８を介して周縁部２９０に接続された切断主部２９２とから構成されている。周縁部２９０は、図６及び図７に図示する切断部材１０における周縁部９０と実質上同一であり、短円筒形状であり、その外周面には環状突条２９４が形成されている。切断主部２９２は水平に延在する円環形状である環状板部２９６を有する。環状板部２９６にはその内周縁から下方に突出する円筒部３００が付設されている。第一の切断手段を構成する円筒部３００も、図６及び図７に図示する切断部材１０における円筒部１００と実質上同一である。環状板部２９６の上面には環状突条３０１が形成され、そして更にかかる環状突条３０１の内側に一対の弧状部３０２が形成されている。弧状部３０２の各々は略１１０度の角度範囲に渡って延びる円弧形状である。弧状部３０２の各々は上方に向かって厚さが漸次低減せしめられていて上端は鋭いエッジにせしめられている。図１０及び図１１に図示する切断部材２１０においては一対の弧状部３０２が第二の切断手段を構成する。補助容器から流下せしめられる液状補助物質が環状板部２９６の上面に滞留するのを確実に回避するために、所望ならば環状板部２９６の例えば環状突条３０１よりも内側の部分を半径方向内方に向かって下方に傾斜する逆円錐台筒形状にせしめることができる。切断部材２１０は一変形例を示すものであり、所望ならば、更に他の適宜の形態の切断部材を使用することもできる。
【００２５】
【発明の効果】
本発明の容器蓋によれば、飲料のために広く一般に使用されている容器に適用することができ、安価に製作することができ、そして更に過剰な力を必要とすることなく補助容器に収容されている補助物質を比較的容易に容器に収容されている内容物に混入することができる。
【図面の簡単な説明】
【図１】本発明に従って構成された容器蓋の好適実施形態を示す断面図。
【図２】図１の容器蓋における蓋本体の、一部を断面で示す正面図。
【図３】図１の容器蓋における付加部材の、一部を断面で示す正面図。
【図４】図１の容器蓋における付加部材の底面図。
【図５】図１の容器蓋における外蓋の、一部を断面で示す正面図。
【図６】図１の容器蓋における切断部材の断面図。
【図７】図１の容器蓋における切断部材の平面図。
【図８】図１の容器蓋において補助容器内の液状補助物質を容器内に混入する様式を説明するための断面図。
【図９】図１の容器蓋を容器の口頸部から離脱する様式を説明するための断面図。
【図１０】切断部材の変形例の断面図。
【図１１】図１０に示す切断部材の平面図。
【符号の説明】
２：容器蓋
４：蓋本体
６：付加部材
８：外蓋
１０：切断部材
１２：補助容器
１４：蓋本体の天面壁
１６：蓋本体のスカート壁
４８：破断可能ライン
５０：付加部材の環状壁
５２：付加部材の筒状壁
５４：付加部材の突出壁
６４：外蓋の上面壁
６６：外蓋の垂下壁
８２：周方向破断可能ライン
９０：切断部材の周縁部
９２：切断部材の切断主部
９８：橋絡部
１００：円筒部（第一の切断手段）
１０２：弧状部（第二の切断手段）
１０４：補助容器の本体
１０６：補助容器の破断可能シール部材
１１２：容器
１１４：容器の口頸部
２１０：切断部材
２９０：切断部材の周縁部
２９２：切断部材の切断主部
２９８：橋絡部
３００：円筒部（第一の切断手段）
３０２：弧状部（第二の切断手段）
【図１】
2005022716.tif 000003
【図２】
2005022716.tif 000004
【図３】
2005022716.tif 000005
【図４】
2005022716.tif 000006
【図５】
2005022716.tif 000007
【図６】
2005022716.tif 000008
【図７】
2005022716.tif 000009
【図８】
2005022716.tif 000010
【図９】
2005022716.tif 000011
【図１０】
2005022716.tif 000012
【図１１】
2005022716.tif 000013